(57)【要約】相互相関によって選択された情報（例えば、同期信号、あるブロードキャスト信号等）における干渉除去を実行する場合、結合された信号のシンボル期間は、一般に、一致するだろう。わずかなミスマッチであれば、一般に、干渉除去において無視できるほどのインパクトしかもたらさない。しかしながら、顕著なタイミング・オフセットによって、ミスマッチが激しい場合には、特に、タイミング・オフセットが、送信のデータ部分とオーバラップするほど十分に大きい場合、深刻なパフォーマンス低下が生じうる。選択された情報の前の、および／または、選択された情報の後のリソース要素を選択的にパンクチャすることによって、選択された情報が保護され、大きなタイミング・オフセットの場合においてでさえも、干渉除去が可能となる。
2013530571.tif 000002
【特許請求の範囲】
【請求項１】
サービス提供セルおよび干渉元のセルを有する無線ネットワークにおいて、ダウンリンク信号のタイミング・オフセットのインパクトを低減する方法であって、
前記サービス提供セルの物理ダウンリンク・チャネルの選択された情報を保護するために、前記干渉元のセルの物理ダウンリンク・チャネルにおけるリソース要素をパンクチャすることと、ここで、パンクチャされるリソース要素は、前記選択された情報の前、および前記選択された情報の後のうちの少なくとも１つである、
前記パンクチャされたリソースにしたがって信号を生成することと、
を備える方法。
【請求項２】
前記パンクチャすることは、時間領域において、前記選択された情報の前および後のうちの少なくとも１つにおけるリソース要素をパンクチャすることを備える、請求項１に記載の方法。
【請求項３】
前記パンクチャすることは、周波数領域において、前記選択された情報の上および下のうちの少なくとも１つにおけるリソース要素をパンクチャすることを備える、請求項１に記載の方法。
【請求項４】
前記選択された情報は、一次同期信号（ＰＳＳ）、二次同期信号（ＳＳＳ）、物理ブロードキャスト・チャネル（ＰＢＣＨ）、および基準信号のうちの少なくとも１つである、請求項１に記載の方法。
【請求項５】
ＵＥにおいて受信された干渉元のセルの送信とサービス提供セルの送信との間のタイミング・オフセットを判定することと、
前記タイミング・オフセットに基づいて、パンクチャするリソース要素の数を選択することと、
をさらに備える請求項１に記載の方法。
【請求項６】
前記パンクチャされるリソース要素は、一次同期信号（ＰＳＳ）リソース要素、二次同期信号（ＳＳＳ）リソース要素、物理ブロードキャスト・チャネル（ＰＢＣＨ）リソース要素、および基準信号リソース要素を除外する、請求項１に記載の方法。
【請求項７】
無線通信のための装置であって、
サービス提供セルの物理ダウンリンク・チャネルの選択された情報を保護するために、干渉元のセルの物理ダウンリンク・チャネルにおけるリソース要素をパンクチャする手段と、ここで、前記パンクチャされるリソース要素は、前記選択された情報の前、および前記選択された情報の後のうちの少なくとも１つである、
前記パンクチャされたリソースにしたがって信号を生成する手段と、
を備える装置。
【請求項８】
前記パンクチャする手段は、時間領域において、前記選択された情報の前および後のうちの少なくとも１つであるリソース要素をパンクチャする、請求項７に記載の装置。
【請求項９】
前記パンクチャする手段は、周波数領域において、前記選択された情報の上および下のうちの少なくとも１つにおけるリソース要素をパンクチャする、請求項７に記載の装置。
【請求項１０】
前記選択された情報は、一次同期信号（ＰＳＳ）、二次同期信号（ＳＳＳ）、物理ブロードキャスト・チャネル（ＰＢＣＨ）、および基準信号のうちの少なくとも１つである、請求項７に記載の装置。
【請求項１１】
ＵＥにおいて受信された干渉元のセルの送信とサービス提供セルの送信との間のタイミング・オフセットを判定する手段と、
前記タイミング・オフセットに基づいて、パンクチャするリソース要素の数を選択する手段と、
をさらに備える請求項７に記載の装置。
【請求項１２】
前記パンクチャされるリソース要素は、一次同期信号（ＰＳＳ）リソース要素、二次同期信号（ＳＳＳ）リソース要素、物理ブロードキャスト・チャネル（ＰＢＣＨ）リソース要素、および基準信号リソース要素を除外する、請求項７に記載の装置。
【請求項１３】
無線ネットワークにおける無線通信のためのコンピュータ・プログラム製品であって、
記録された非一時的なプログラム・コードを有するコンピュータ読取可能な媒体を備え、前記プログラム・コードは、
サービス提供セルの物理ダウンリンク・チャネルの選択された情報を保護するために、干渉元のセルの物理ダウンリンク・チャネルにおけるリソース要素をパンクチャするためのプログラム・コードと、ここで、前記パンクチャされるリソース要素は、前記選択された情報の前、および前記選択された情報の後のうちの少なくとも１つである、
前記パンクチャされたリソースにしたがって信号を生成するためのプログラム・コードと
を備える、コンピュータ・プログラム製品。
【請求項１４】
前記パンクチャするためのプログラム・コードは、時間領域において、前記選択された情報の前および後のうちの少なくとも１つであるリソース要素をパンクチャする、請求項１３に記載のコンピュータ・プログラム製品。
【請求項１５】
前記パンクチャするためのプログラム・コードは、周波数領域において、前記選択された情報の上および下のうちの少なくとも１つにおけるリソース要素をパンクチャする、請求項１３に記載のコンピュータ・プログラム製品。
【請求項１６】
前記選択された情報は、一次同期信号（ＰＳＳ）、二次同期信号（ＳＳＳ）、物理ブロードキャスト・チャネル（ＰＢＣＨ）、および基準信号のうちの少なくとも１つである、請求項１３に記載のコンピュータ・プログラム製品。
【請求項１７】
ＵＥにおいて受信された干渉元のセルの送信とサービス提供セルの送信との間のタイミング・オフセットを判定するためのプログラム・コードと、
前記タイミング・オフセットに基づいて、パンクチャするリソース要素の数を選択する
ためのプログラム・コードと、
をさらに備える請求項１３に記載のコンピュータ・プログラム製品。
【請求項１８】
前記パンクチャされるリソース要素は、一次同期信号（ＰＳＳ）リソース要素、二次同期信号（ＳＳＳ）リソース要素、物理ブロードキャスト・チャネル（ＰＢＣＨ）リソース要素、および基準信号リソース要素を除外する、請求項１３に記載のコンピュータ・プログラム製品。
【請求項１９】
無線通信のための装置であって、
メモリと、
前記メモリに接続された少なくとも１つのプロセッサとを備え、
前記少なくとも１つのプロセッサは、
サービス提供セルの物理ダウンリンク・チャネルの選択された情報を保護するために、干渉元のセルの物理ダウンリンク・チャネルにおけるリソース要素をパンクチャし、ここで、前記パンクチャされるリソース要素は、前記選択された情報の前、および前記選択された情報の後のうちの少なくとも１つである、
前記パンクチャされたリソースにしたがって信号を生成する
ように構成された、装置。
【請求項２０】
前記プロセッサはさらに、時間領域において、前記選択された情報の前および後のうちの少なくとも１つにおけるリソース要素をパンクチャするように構成された、請求項１９に記載の装置。
【請求項２１】
前記プロセッサはさらに、周波数領域において、前記選択された情報の上および下のうちの少なくとも１つにおけるリソース要素をパンクチャするように構成された、請求項１９に記載の装置。
【請求項２２】
前記選択された情報は、一次同期信号（ＰＳＳ）、二次同期信号（ＳＳＳ）、物理ブロードキャスト・チャネル（ＰＢＣＨ）、および基準信号のうちの少なくとも１つである、請求項１９に記載の装置。
【請求項２３】
前記プロセッサはさらに、
ＵＥにおいて受信された干渉元のセルの送信とサービス提供セルの送信との間のタイミング・オフセットを判定し、
前記タイミング・オフセットに基づいて、パンクチャするリソース要素の数を選択する
ように構成された、請求項１９に記載の装置。
【請求項２４】
前記パンクチャされるリソース要素は、一次同期信号（ＰＳＳ）リソース要素、二次同期信号（ＳＳＳ）リソース要素、物理ブロードキャスト・チャネル（ＰＢＣＨ）リソース要素、および基準信号リソース要素を除外する、請求項１９に記載の装置。
【発明の詳細な説明】
【関連出願に対する相互参照】
【０００１】
本願は、２０１０年４月１６日に出願された、ダウンリンク信号におけるタイミング遅れのインパクトを低減すること（DIMINISHING IMPACT OF TIMING DELAY IN DOWNLINK SIGNALS）と題された米国仮特許出願６１／３２５，１７２号に対する３５Ｕ．Ｓ．Ｃ．§１１９（ｅ）の下の利益を主張する。この出願の内容は、すべての目的のために、その全体が本明細書において参照によって組み込まれている。
【技術分野】
【０００２】
本開示のある態様は、一般に、無線通信システムに関し、さらに詳しくは、ダウンリンク信号におけるタイミング・オフセットのインパクトを低減することに関する。
【背景技術】
【０００３】
無線通信ネットワークは、例えば音声、ビデオ、パケット・データ、メッセージング、ブロードキャスト等のようなさまざまな通信サービスを提供するために広く開発された。これら無線ネットワークは、利用可能なネットワーク・リソースを共有することにより、複数のユーザをサポートすることができる多元接続ネットワークでありうる。このような多元接続ネットワークの例は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、およびシングル・キャリアＦＤＭＡ（ＳＣ−ＦＤＭＡ）ネットワークを含む。
【０００４】
無線通信ネットワークは、多くのユーザ機器（ＵＥ）のための通信をサポートしうる多くの基地局を含みうる。ＵＥは、ダウンリンクおよびアップリンクによって基地局と通信しうる。ダウンリンク（すなわち順方向リンク）は、基地局からＵＥへの通信リンクを称し、アップリンク（すなわち逆方向リンク）は、ＵＥから基地局への通信リンクを称する。
【０００５】
基地局は、ダウンリンクでＵＥへデータおよび制御情報を送信し、および／または、アップリンクでＵＥからデータおよび制御情報を受信しうる。ダウンリンクでは、基地局からの送信が、近隣の基地局からの、または、その他の無線ラジオ周波数（ＲＦ）送信機からの送信による干渉に遭遇しうる。アップリンクでは、ＵＥからの送信が、近隣の基地局と通信する別のＵＥのアップリンク送信からの、または、別の無線ＲＦ送信機からの干渉に遭遇しうる。この干渉は、ダウンリンクとアップリンクとの両方のパフォーマンスを低下させうる。
【０００６】
モバイル・ブロードバンド・アクセスに対する需要が増加し続けると、ＵＥが長距離無線通信ネットワークにアクセスすることや、短距離無線システムがコミュニティにおいて展開されることとともに、干渉および混雑したネットワークの可能性が高まる。研究開発は、モバイル・ブロードバンド・アクセスのための増加する需要を満たすためのみならず、モバイル通信とのユーザ経験を進化および向上させるために、ＵＭＴＳ技術を進化させ続けている。
【発明の概要】
【０００７】
相互相関によって選択された情報（例えば、同期信号、あるブロードキャスト信号等）における干渉除去を実行する場合、結合された信号のシンボル期間は、一般に、一致するだろう。わずかなミスマッチであれば、一般に、干渉除去において無視できるほどのインパクトしかもたらさない。しかしながら、顕著なタイミング・オフセットによって、ミスマッチが激しい場合には、特に、タイミング・オフセットが、送信のデータ部分とオーバラップするほど十分に大きい場合、深刻なパフォーマンス低下が生じうる。選択された情報の前の、および／または、選択された情報の後のリソース要素を選択的にパンクチャすることによって、選択された情報が保護され、大きなタイミング・オフセットの場合においてでさえも、干渉除去が可能となる。
【０００８】
１つの態様では、サービス提供セルおよび干渉元のセルを有する無線ネットワークにおいて、ダウンリンク信号のタイミング・オフセットのインパクトを低減する方法が開示される。この方法は、サービス提供セルの物理ダウンリンク・チャネルの選択された情報を保護するために、干渉元のセルの物理ダウンリンク・チャネルにおけるリソース要素をパンクチャすることを含む。パンクチャされるリソース要素は、選択された情報の前であるか、および／または、選択された情報の後である。このパンクチャされたリソースにしたがって信号が生成される。
【０００９】
別の態様では、装置が開示される。この装置は、サービス提供セルの物理ダウンリンク・チャネルの選択された情報を保護するために、干渉元のセルの物理ダウンリンク・チャネルにおけるリソース要素をパンクチャする手段を含む。パンクチャされるリソース要素は、選択された情報の前であるか、および／または、選択された情報の後である。このパンクチャされたリソースにしたがって信号を生成する手段もまた開示される。
【００１０】
別の態様では、無線ネットワークにおける無線通信のためのコンピュータ・プログラム製品が開示される。コンピュータ読取可能な媒体は、１または複数のプロセッサによって実行された場合に、１または複数のプロセッサに対して、サービス提供セルの物理ダウンリンク・チャネルの選択された情報を保護するために、干渉元のセルの物理ダウンリンク・チャネルにおけるリソース要素をパンクチャする動作を実行させる、記録されたプログラム・コードを有する。パンクチャされるリソース要素は、選択された情報の前であるか、および／または、選択された情報の後である。このプログラム・コードはまた、１または複数のプロセッサに対して、パンクチャされたリソースにしたがって信号を生成させる。
【００１１】
別の態様では、メモリと、メモリに接続された少なくとも１つのプロセッサとを有する、無線通信のためのシステムが開示される。プロセッサ（単数または複数）は、サービス提供セルの物理ダウンリンク・チャネルの選択された情報を保護するために、干渉元のセルの物理ダウンリンク・チャネルにおけるリソース要素をパンクチャするように構成される。パンクチャされるリソース要素は、選択された情報の前であるか、および／または、選択された情報の後である。プロセッサはまた、パンクチャされたリソースにしたがって信号を生成するようにも構成される。
【００１２】
以下に続く詳細記載が良好に理解されるために、本開示の特徴および技術的利点が、広く概説された。本開示のさらなる特徴および利点が以下に記載されるだろう。本開示は、本開示のものと同じ目的を実行するために、修正したり、その他の構成を設計するための基礎として容易に利用されうることが当業者によって理解されるべきである。このような等価な構成は、特許請求の範囲に記載された開示の教示から逸脱しないこともまた当業者によって理解されるべきである。さらなる目的および利点とともに、動作の方法と構成との両方に関し、本開示の特徴であると信じられている新規の特徴が、添付図面と関連して考慮された場合に、以下の記載から良好に理解されるであろう。しかしながら、図面のおのおのは、例示および説明のみの目的のために提供されており、本開示の限界の定義として意図されていないことが明確に理解されるべきである。
【図面の簡単な説明】
【００１３】
本開示の特徴、特性、および利点は、同一の参照符号が全体を通じて同一物を特定している図面とともに考慮された場合、以下に記載する詳細な記載からより明らかになるだろう。
【図１】図１は、テレコミュニケーション・システムの例を概念的に例示するブロック図である。
【図２】図２は、テレコミュニケーション・システムにおけるダウンリンク・フレーム構造の例を概念的に例示する図である。
【図３】図３は、本開示の１つの態様にしたがって構成された基地局／ｅノードＢとＵＥとの設計を概念的に例示するブロック図である。
【図４Ａ】図４Ａは、サービス提供セルと干渉元のセルから受信したダウンリンク信号間の信号相互相関を例示するブロック図である。
【図４Ｂ】図４Ｂは、サービス提供セルと干渉元のセルから受信したダウンリンク信号間の信号相互相関を例示するブロック図である。
【図５Ａ】図５Ａは、本開示の１つの態様にしたがって構成される周波数分割多重（ＦＤＤ）サブチャネルを例示するチャネル図である。
【図５Ｂ】図５Ｂは、本開示の１つの態様にしたがって構成される周波数分割多重（ＦＤＤ）サブチャネルを例示するチャネル図である。
【図６】図６は、無線ネットワークにおけるダウンリンク信号におけるタイミング・オフセットを低減するための方法を例示するブロック図である。
【発明を実施するための形態】
【００１４】
添付図面とともに以下に説明する詳細説明は、さまざまな構成の説明として意図されており、本明細書に記載された概念が実現される唯一の構成を表すことは意図されていない。この詳細説明は、さまざまな概念の完全な理解を提供することを目的とした具体的な詳細を含んでいる。しかしながら、これらの概念は、これら具体的な詳細無しで実現されうることが当業者に明らかになるであろう。いくつかの事例では、周知の構成および構成要素が、このような概念を曖昧にすることを避けるために、ブロック図形式で示されている。
【００１５】
本明細書に記載された技術は、例えば符号分割多元接続（ＣＤＭＡ）ネットワーク、時分割多元接続（ＴＤＭＡ）ネットワーク、周波数分割多元接続（ＦＤＭＡ）ネットワーク、直交周波数分割多元接続（ＯＦＤＭＡ）ネットワーク、シングル・キャリアＦＤＭＡ（ＳＣ−ＦＤＭＡ）ネットワーク等のようなさまざまな無線通信ネットワークのために使用される。「ネットワーク」および「システム」という用語は、しばしば置換可能に使用される。ＣＤＭＡネットワークは、例えば、ユニバーサル地上ラジオ・アクセス（ＵＴＲＡ）、ＣＤＭＡ２０００等のようなラジオ技術を実現しうる。ＵＴＲＡは、広帯域ＣＤＭＡ（Ｗ−ＣＤＭＡ）および低チップ・レート（ＬＣＲ）を含む。ＣＤＭＡ２０００は、ＩＳ−２０００規格、ＩＳ−９５規格、およびＩＳ−８５６規格をカバーする。ＴＤＭＡネットワークは、例えばグローバル移動体通信システム（ＧＳＭ（登録商標））のようなラジオ技術を実現しうる。ＯＦＤＭＡネットワークは、例えば、イボルブドＵＴＲＡ（Ｅ−ＵＴＲＡ）、ＩＥＥＥ  ８０２．１１、ＩＥＥＥ  ８０２．１６、ＩＥＥＥ  ８０２．２０、フラッシュ−ＯＦＤＭ（登録商標）等のようなラジオ技術を実現しうる。ＵＴＲＡ、Ｅ−ＵＴＲＡ、およびＧＳＭは、ユニバーサル・モバイル・テレコミュニケーション・システム（ＵＭＴＳ）の一部である。ロング・ターム・イボリューション（ＬＴＥ）は、Ｅ−ＵＴＲＡを使用するＵＭＴＳの最新のリリースである。ＵＴＲＡ、Ｅ−ＵＴＲＡ、ＧＳＭ、ＵＭＴＳ、およびＬＴＥは、「第３世代パートナシップ計画」（３ＧＰＰ）と命名された組織からの文書に記載されている。ＣＤＭＡ２０００は、「第３世代パートナシップ計画２」（３ＧＰＰ２）と命名された組織からの文書に記載されている。これらさまざまなラジオ技術および規格は、当該技術分野において知られている。明確化のために、これら技術のある態様は、以下において、ＬＴＥに関して記載されており、ＬＴＥ用語が以下の説明の多くで使用される。
【００１６】
本明細書に記載された技術は、例えばＣＤＭＡ、ＴＤＭＡ、ＦＤＭＡ、ＯＦＤＭＡ、ＳＣ−ＦＤＭＡ、およびその他のネットワークのようなさまざまな無線通信ネットワークのために使用されうる。用語「ネットワーク」および「システム」は、しばしば置換可能に使用される。ＣＤＭＡネットワークは、例えば、ユニバーサル地上ラジオ・アクセス（ＵＴＲＡ）、テレコミュニケーション・インダストリ・アソシエーション（ＴＩＡ）のｃｄｍａ２０００（登録商標）等のようなラジオ技術を実現しうる。ＵＴＲＡ技術は、広帯域ＣＤＭＡ（ＷＣＤＭＡ）、およびＣＤＭＡのその他の変形を含んでいる。ＣＤＭＡ２０００（登録商標）技術は、米国電子工業会（ＥＩＡ）およびＴＩＡからのＩＳ−２０００規格、ＩＳ−９５規格、およびＩＳ−８５６規格を含んでいる。ＴＤＭＡネットワークは、例えばグローバル移動体通信システム（ＧＳＭ（登録商標））のようなラジオ技術を実現しうる。ＯＦＤＭＡネットワークは、例えば、イボルブドＵＴＲＡ（Ｅ−ＵＴＲＡ）、ウルトラ・モバイル・ブロードバンド（ＵＭＢ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、Ｆｌａｓｈ−ＯＦＤＭ（登録商標）等のようなラジオ技術を実現しうる。ＵＴＲＡ技術およびＥ−ＵＴＲＡ技術は、ユニバーサル・モバイル・テレコミュニケーション・システム（ＵＭＴＳ）の一部である。３ＧＰＰロング・ターム・イボリューション（ＬＴＥ）およびＬＴＥ−アドバンスト（ＬＴＥ−Ａ）は、Ｅ−ＵＴＲＡを使用するＵＭＴＳの新たなリリースである。ＵＴＲＡ、Ｅ−ＵＴＲＡ、ＵＭＴＳ、ＬＴＥ、ＬＴＥ−Ａ、およびＧＳＭは、「第３世代パートシップ計画」（３ＧＰＰ）と呼ばれる組織からの文書に記載されている。ＣＤＭＡ２０００およびＵＭＢは、「第３世代パートナシップ計画２」（３ＧＰＰ２）と呼ばれる組織からの文書に記載されている。本明細書で記載された技術は、他の無線ネットワークおよびラジオ・アクセス技術のみならず、前述された無線ネットワークおよびラジオ・アクセス技術のためにも使用されうる。明確化のために、これら技術のある態様は、以下において、ＬＴＥまたはＬＴＥ−Ａ（代わりにこれらはともに“ＬＴＥ／−Ａ”として称される）について記載されており、このようなＬＴＥ−Ａ用語が以下の説明の多くで使用される。
【００１７】
図１は、ＬＴＥ−Ａネットワークでありうる無線通信ネットワーク１００を示す。無線ネットワーク１００は、多くのイボルブド・ノードＢ（ｅノードＢ）１１０およびその他のネットワーク・エンティティを含む。ｅノードＢは、ＵＥと通信する局であり、基地局、ノードＢ、アクセス・ポイント等とも称されうる。おのおののｅノードＢ１１０は、特定の地理的エリアのために通信有効範囲を提供する。３ＧＰＰでは、用語「セル」は、この用語が使用される文脈に依存して、この有効通信範囲エリアにサービス提供しているｅノードＢおよび／またはｅノードＢサブシステムからなるこの特定の地理的有効通信範囲エリアを称しうる。
【００１８】
ｅノードＢは、マクロ・セル、ピコ・セル、フェムト・セル、および／または、その他のタイプのセルのために、通信有効通信範囲を提供しうる。マクロ・セルは、一般に、比較的大きな地理的エリア（例えば、半径数キロメータ）をカバーし、ネットワーク・プロバイダへのサービス加入を持つＵＥによる無制限のアクセスを許可しうる。ピコ・セルは、一般に、比較的小さな地理的エリアをカバーし、ネットワーク・プロバイダへのサービス加入を持つＵＥによる無制限のアクセスを許可しうる。フェムト・セルもまた一般に、比較的小さな地理的エリア（例えば、住宅）をカバーし、フェムト・セルとの関連を持つＵＥ（例えば、クローズド加入者グループ（ＣＳＧ）におけるＵＥ）、住宅内のユーザのためのＵＥ等による無制限のアクセスを提供しうる。マクロ・セルのためのｅノードＢは、マクロｅノードＢと称されうる。ピコ・セルのためのｅノードＢは、ピコｅノードＢと称されうる。そして、フェムト・セルのためのｅノードＢは、フェムトｅノードＢまたはホームｅノードＢと称されうる。図１に示す例では、ｅノードＢ１１０ａ，１１０ｂ，１１０ｃは、マクロ・セル１０２ａ，１０２ｂ，１０２ｃそれぞれのためのマクロｅノードＢでありうる。ｅノードＢ１１０ｘは、ピコ・セル１０２ｘのためのピコｅノードＢでありうる。そして、ｅノードＢ１１０ｙ，１１０ｚは、それぞれフェムト・セル１０２ｙ，１０２ｚのためのフェムトｅノードＢである。ｅノードＢは、１または複数（例えば２、３、４個等）のセルをサポートしうる。
【００１９】
無線ネットワーク１００はさらに、中継局をも含みうる。中継局は、データおよび／またはその他の情報の送信を上流局（例えば、ｅノードＢ、ＵＥ等）から受信し、データおよび／またはその他の情報の送信を下流局（例えば、ＵＥまたはｅノードＢ）へ送信する局である。中継局はまた、他のＵＥのための送信を中継するＵＥでもありうる。図１に示す例では、中継局１１０ｒは、ｅノードＢ１１０ａとＵＥ１２０ｒとの間の通信を容易にするために、ｅノードＢ１１０ａおよびＵＥ１２０ｒと通信しうる。中継局はまた、リレーｅノードＢ、リレー等とも称されうる。
【００２０】
無線ネットワーク１００はまた、例えば、マクロｅノードＢ、ピコｅノードＢ、フェムトｅノードＢ、リレー等のような異なるタイプのｅノードＢを含むヘテロジニアスなネットワークでもありうる。これら異なるタイプのｅノードＢは、異なる送信電力レベル、異なる有効通信範囲エリア、および、無線ネットワーク１００内の干渉に対する異なるインパクトを有しうる。例えば、マクロｅノードＢは、高い送信電力レベル（例えば、２０ワット）を有する一方、ピコｅノードＢ、フェムトｅノードＢ、およびリレーは、低い送信電力レベル（例えば、１ワット）を有しうる。
【００２１】
無線ネットワーク１００は、同期動作をサポートしうる。同期動作の場合、ｅノードＢは、類似のフレーム・タイミングを有し、異なるｅノードＢからの送信は、時間的にほぼ揃えられうる。非同期動作の場合、ｅノードＢは、異なるフレーム・タイミングを有し、異なるｅノードＢからの送信は、時間的に揃わない場合がある。ここに記載された技術は、同期動作あるいは非同期動作の何れかのために使用されうる。
【００２２】
１つの態様では、無線ネットワーク１００は、周波数分割多重（ＦＤＤ）動作モードまたは時分割多重（ＴＤＤ）動作モードをサポートしうる。ここに記載された技術は、ＦＤＤ動作モードまたはＴＤＤ動作モードの何れかのために使用されうる。
【００２３】
ネットワーク・コントローラ１３０は、ｅノードＢ１１０のセットに接続しており、これらｅノードＢ１１０のための調整および制御を提供しうる。ネットワーク・コントローラ１３０は、バックホール１３２を介してｅノードＢ１１０と通信しうる。ｅノードＢ１１０はまた、例えば、ダイレクトに、または、無線バックホール１３４または有線バックホールを介して非ダイレクトに、互いに通信しうる。
【００２４】
無線ネットワーク１００の全体にわたってＵＥ１２０が分布しうる。そして、おのおののＵＥは、固定式または移動式でありうる。ＵＥは、端末、移動局、加入者ユニット、局等とも称されうる。ＵＥは、セルラ電話、携帯情報端末（ＰＤＡ）、無線モデム、無線通信デバイス、ハンドヘルド・デバイス、ラップトップ・コンピュータ、コードレス電話、無線ローカル・ループ（ＷＬＬ）局等でありうる。ＵＥは、マクロｅノードＢ、ピコｅノードＢ、フェムトｅノードＢ、リレー等と通信することができうる。図１では、２つの矢印を持つ実線が、ＵＥと、ダウンリンクおよび／またはアップリンクでＵＥにサービス提供するように指定されたｅノードＢであるサービス提供ｅノードＢとの間の所望の送信を示す。２つの矢印を持つ破線は、ＵＥとｅノードＢとの間の干渉送信を示す。
【００２５】
ＬＴＥは、ダウンリンクで周波数分割多重（ＯＦＤＭ）を、アップリンクでシングル・キャリア周波数分割多重（ＳＣ−ＦＤＭ）を利用する。ＯＦＤＭおよびＳＣ−ＦＤＭは、システム帯域幅を、一般にトーン、ビン等とも称される複数（Ｋ個）の直交サブキャリアに区分する。おのおののサブキャリアは、データを用いて変調されうる。一般に、変調シンボルは、ＯＦＤＭを用いて周波数領域で、ＳＣ−ＦＤＭを用いて時間領域で送信される。隣接するサブキャリア間の間隔は固定され、サブキャリアの総数（Ｋ個）は、システム帯域幅に依存しうる。例えば、サブキャリアの間隔は、１５ｋＨｚでありうる。そして、（「リソース・ブロック」と呼ばれる）最小リソース割当は、１２サブキャリア（または１８０ｋＨｚ）でありうる。その結果、ノミナルＦＦＴサイズは、１．２５，２．５，５，１０，２０メガヘルツ（ＭＨｚ）の対応するシステム帯域幅についてそれぞれ１２８，２５６，５１２，１０２４，２０４８に等しくなりうる。システム帯域幅はまた、サブ帯域へ区分されうる。例えば、サブ帯域は、１．０８ＭＨｚ（すなわち、６リソース・ブロック）をカバーし、１．２５，２．５，５，１０，２０ＭＨｚの対応するシステム帯域幅についてそれぞれ１，２，４，８，１６のサブ帯域が存在しうる。
【００２６】
図２は、ＬＴＥにおいて使用されるダウンリンクＦＤＤ構造を示す。ダウンリンクの送信タイムラインは、ラジオ・フレームの単位に区分されうる。おのおののラジオ・フレームは、（例えば１０ミリ秒（ｍｓ）のような）予め定められた持続時間を有し、０乃至９のインデクスを付された１０個のサブフレームへ区分されうる。おのおののサブフレームは２つのスロットを含みうる。したがって、おのおののラジオ・フレームは、０乃至１９のインデクスを付された２０のスロットを含みうる。おのおののスロットは、Ｌ個のシンボル期間、（例えば、図２に示すような）通常のサイクリック・プレフィクスの場合、７つのシンボル期間を含み、拡張されたサイクリック・プレフィクスの場合、１４のシンボル期間を含みうる。おのおののサブフレームでは、２Ｌ個のシンボル期間が、０乃至２Ｌ−１のインデクスを割り当てられうる。利用可能な時間周波数リソースが、リソース・ブロックへ区分されうる。おのおののリソース・ブロックは、１つのスロットにおいてＮ個のサブキャリア（例えば、１２のサブキャリア）をカバーしうる。
【００２７】
ＬＴＥでは、ｅノードＢは、ｅノードＢにおける各セルについて、一次同期信号（ＰＳＣまたはＰＳＳ）および二次同期信号（ＳＳＣまたはＳＳＳ）を送信しうる。ＦＤＤ動作モードの場合、図２に示すように、一次同期信号および二次同期信号が、通常のサイクリック・プレフィクスを持つ各ラジオ・フレームのサブフレーム０およびサブフレーム５のおのおのにおいて、シンボル期間６およびシンボル期間５でそれぞれ送信されうる。これら同期信号は、セル検出および獲得のためにＵＥによって使用されうる。ＦＤＤ動作モードの場合、ｅノードＢは、サブフレーム０のスロット１におけるシンボル期間０乃至３で、物理ブロードキャスト・チャネル（ＰＢＣＨ）を送信しうる。ＰＢＣＨは、あるシステム情報を伝送しうる。
【００２８】
図２で見られるように、ｅノードＢは、各サブフレームの最初のシンボル期間で、物理制御フォーマット・インジケータ・チャネル（ＰＣＦＩＣＨ）を送信しうる。ＰＣＦＩＣＨは、制御チャネルのために使用されるシンボル期間の数（Ｍ）を伝えうる。ここで、Ｍは、１，２または３に等しく、サブフレーム毎に変化しうる。Ｍはまた、例えば、１０未満のリソース・ブロックのように、少ない数のシステム帯域幅に対して４に等しくなりうる。図２に示す例では、Ｍ＝３である。ｅノードＢは、おのおののサブフレームの最初のＭ個のシンボル期間において、物理ＨＡＲＱインジケータ・チャネル（ＰＨＩＣＨ）および物理ダウンリンク制御チャネル（ＰＤＣＣＨ）を送信しうる。ＰＤＣＣＨおよびＰＨＩＣＨもまた、図２に示す例における最初の３つのシンボル期間に含まれる。ＰＨＩＣＨは、ハイブリッド自動再送信（ＨＡＲＱ）をサポートするための情報を伝送しうる。ＰＤＣＣＨは、ＵＥのためのアップリンクおよびダウンリンクのリソース割当に関する情報と、アップリンク・チャネルのための電力制御情報とを伝送しうる。ｅノードＢはまた、おのおののサブフレームの残りのシンボル期間で、物理ダウンリンク共有チャネル（ＰＤＳＣＨ）を送信しうる。ＰＤＳＣＨは、ダウンリンクで、データ送信のためにスケジュールされたＵＥのためのデータを伝送しうる。
【００２９】
ｅノードＢは、ｅノードＢによって使用されるシステム帯域幅の中央の１．０８ＭＨｚでＰＳＳ、ＳＳＳ、およびＰＢＣＨを送信しうる。ｅノードＢは、これらのチャネルが送信される各シンボル期間におけるシステム帯域幅全体でＰＣＦＩＣＨおよびＰＨＩＣＨを送信しうる。ｅノードＢは、システム帯域幅のある部分で、ＵＥのグループにＰＤＣＣＨを送信しうる。ｅノードＢは、システム帯域幅の特定の部分で、ＵＥのグループにＰＤＳＣＨを送信しうる。ｅノードＢは、すべてのＵＥへブロードキャスト方式でＰＳＳ、ＳＳＣ、ＰＢＣＨ、ＰＣＦＩＣＨ、およびＰＨＩＣＨを送信し、ＰＤＣＣＨを、ユニキャスト方式で特定のＵＥへ送信しうる。さらに、特定のＵＥへユニキャスト方式でＰＤＳＣＨをも送信しうる。
【００３０】
各シンボル期間において、多くのリソース要素が利用可能でありうる。おのおののリソース要素は、１つのシンボル期間において１つのサブキャリアをカバーし、実数値または複素数値である１つの変調シンボルを送信するために使用されうる。制御チャネルのために使用されるシンボルについて、各シンボル期間において、基準信号のために使用されないリソース要素が、リソース要素グループ（ＲＥＧ）へ構成されうる。おのおののＲＥＧは、１つのシンボル期間内に、４つのリソース要素を含みうる。ＰＣＦＩＣＨは、シンボル期間０において、４つのＲＥＧを占有しうる。これらは、周波数にわたってほぼ等間隔に配置されうる。ＰＨＩＣＨは、１または複数の設定可能なシンボル期間内に３つのＲＥＧを占有しうる。これらは、周波数にわたって分散されうる。例えば、ＰＨＩＣＨのための３つのＲＥＧはすべて、シンボル期間０に属しうる。あるいは、シンボル期間０，１，２に分散されうる。ＰＤＣＣＨは、最初のＭ個のシンボル期間内に、９，１８，３６，または７２のＲＥＧを占有しうる。これらは、利用可能なＲＥＧから選択されうる。複数のＲＥＧのある組み合わせのみが、ＰＤＣＣＨのために許可されうる。
【００３１】
ＵＥは、ＰＨＩＣＨとＰＣＦＩＣＨとのために使用された特定のＲＥＧを認識しうる。ＵＥは、ＰＤＣＣＨを求めて、ＲＥＧの異なる組み合わせを探索しうる。探索する組み合わせの数は、一般に、ＰＤＣＣＨにおいてすべてのＵＥのために許可された組み合わせ数よりも少ない。ｅノードＢは、ＵＥが探索する組み合わせのうちの何れかのＵＥにＰＤＣＣＨを送信しうる。
【００３２】
図３は、図１における基地局／ｅノードＢのうちの１つ、およびＵＥのうちの１つでありうる、基地局／ｅノードＢ１１０とＵＥ１２０との設計のブロック図を示す。基地局１１０は、図１におけるマクロｅノードＢ１１０ｃでありうる。そして、ＵＥ１２０は、ＵＥ１２０ｙでありうる。基地局１１０はさらに、その他いくつかのタイプの基地局でもありうる。基地局１１０は、アンテナ３３４ａ乃至３３４ｔを備え、ＵＥ１２０は、アンテナ３５２ａ乃至３５２ｒを備えうる。
【００３３】
基地局１１０では、送信プロセッサ３２０が、データ・ソース３１２からデータを、コントローラ／プロセッサ３４０から制御情報を受信しうる。制御情報は、ＰＢＣＨ、ＰＣＦＩＣＨ、ＰＨＩＣＨ、ＰＤＣＣＨ等用でありうる。データは、ＰＤＳＣＨ等用でありうる。プロセッサ３２０は、データ・シンボルおよび制御シンボルをそれぞれ取得するために、データ情報および制御情報を処理（例えば、符号化およびシンボル・マップ）しうる。プロセッサ３２０はさらに、例えばＰＳＳ、ＳＳＳのための基準シンボルや、セル特有の基準信号を生成しうる。送信（ＴＸ）複数入力複数出力（ＭＩＭＯ）プロセッサ３３０は、適用可能であれば、データ・シンボル、制御シンボル、および／または、基準シンボルに空間処理（例えば、プリコーディング）を実行し、出力シンボル・ストリームを変調器（ＭＯＤ）３３２ａ乃至３３２ｔに提供しうる。おのおのの変調器３３２は、（例えば、ＯＦＤＭ等のために）それぞれの出力シンボル・ストリームを処理して、出力サンプル・ストリームを得る。おのおのの変調器３３２はさらに、出力サンプル・ストリームを処理（例えば、アナログ変換、増幅、フィルタ、およびアップコンバート）し、ダウンリンク信号を取得する。変調器３３２ａ乃至３３２ｔからのダウンリンク信号は、アンテナ３３４ａ乃至３３４ｔによってそれぞれ送信されうる。
【００３４】
ＵＥ１２０では、アンテナ３５２ａ乃至３５２ｒが、基地局１１０からダウンリンク信号を受信し、受信した信号を、復調器（ＤＥＭＯＤ）３５４ａ乃至３５４ｒへそれぞれ提供しうる。おのおのの復調器３５４は、受信したそれぞれの信号を調整（例えば、フィルタ、増幅、ダウンコンバート、およびデジタル化）して、入力サンプルを取得しうる。おのおのの復調器３５４はさらに、（例えば、ＯＦＤＭ等のため）これら入力サンプルを処理して、受信されたシンボルを取得しうる。ＭＩＭＯ検出器３５６は、すべての復調器３５４ａ乃至３５４ｒから受信したシンボルを取得し、適用可能である場合、これら受信されたシンボルに対してＭＩＭＯ検出を実行し、検出されたシンボルを提供しうる。受信プロセッサ３５８は、検出されたシンボルを処理（例えば、復調、デインタリーブ、および復号）し、ＵＥ１２０のために復号されたデータをデータ・シンク３６０に提供し、復号された制御情報をコントローラ／プロセッサ３８０へ提供しうる。
【００３５】
アップリンクでは、ＵＥ１２０において、送信プロセッサ３６４が、データ・ソース３６２から（例えばＰＵＳＣＨのための）データを、コントローラ／プロセッサ３８０から（例えばＰＵＣＣＨのための）制御情報を受信し、これらを処理しうる。プロセッサ３６４はさらに、基準信号のための基準シンボルを生成しうる。送信プロセッサ３６４からのシンボルは、適用可能であれば、ＴＸ  ＭＩＭＯプロセッサ３６６によってプリコードされ、さらに、（例えば、ＳＣ−ＦＤＭ等のために）変調器３５４ａ乃至３５４ｒによって処理され、基地局１１０へ送信される。基地局１１０では、ＵＥ１２０からのアップリンク信号が、アンテナ３３４によって受信され、復調器３３２によって処理され、適用可能な場合にはＭＩＭＯ検出器３３６によって検出され、さらに、受信プロセッサ３３８によって処理されて、ＵＥ１２０によって送信された復号されたデータおよび制御情報が取得される。プロセッサ３３８は、復号されたデータをデータ・シンク３３９に提供し、復号された制御情報をコントローラ／プロセッサ３４０へ提供しうる。基地局１１０は、例えばＸ２インタフェース３４１を介して、他の基地局へメッセージを送信しうる。
【００３６】
コントローラ／プロセッサ３４０，３８０は、基地局１１０およびＵＥ１２０それぞれにおける動作を指示しうる。基地局１１０におけるプロセッサ３４０および／またはその他のプロセッサおよびモジュールは、ここで説明された技術のためのさまざまな処理の実行または指示を行いうる。ＵＥ１２０におけるプロセッサ３８０および／またはその他のプロセッサおよびモジュールは、図６の使用方法フローチャートに例示された機能ブロック、および／または、本明細書に記載された技術のためのその他の処理の実行または実行の指示を行いうる。メモリ３４２，３８２は、基地局１１０およびＵＥ１２０それぞれのためのデータおよびプログラム・コードを格納しうる。スケジューラ３４４は、ダウンリンクおよび／またはアップリンクでのデータ送信のためにＵＥをスケジュールしうる。
【００３７】
ＵＥは、複数のｅノードＢの有効通信範囲内に存在しうる。これらのｅノードＢのうちの１つは、ＵＥにサービス提供するために選択されうる。サービス提供するｅノードＢは、例えば受信電力、経路喪失、信号対雑音比（ＳＮＲ）等のようなさまざまな基準に基づいて選択されうる。
【００３８】
ＵＥは、１または複数の干渉元のｅノードＢからの高い干渉を観察しうる支配的な干渉シナリオで動作しうる。支配的な干渉シナリオは、制限された関連付けによって生じうる。例えば、図１では、ＵＥ１２０ｙが、フェムトｅノードＢ１１０ｙの近くにあり、ｅノードＢ１１０ｙに関し高い受信電力を有しうる。しかしながら、制約された関連性によって、ＵＥ１２０ｙは、フェムトｅノードＢ１１０ｙにアクセスすることができず、その後、低い受信電力を持つ（図１に示すような）マクロｅノードＢ１１０ｃ、または、同様に低い受信電力を持つ（図１に示されていない）フェムトｅノードＢ１１０ｚに接続しうる。ＵＥ１２０ｙは、その後、ダウンリンクで、フェムトｅノードＢ１１０ｙからの高い干渉を観察し、アップリンクで、ｅノードＢ１１０ｙへ高い干渉を引き起こしうる。
【００３９】
ＵＥ１２０ｙは、接続モードで動作している場合、ＵＥ１２０ｙが例えばｅノードＢ１１０ｃと、許容できる接続を維持することをもはやできないという支配的な干渉シナリオにおいて、十分な干渉を受けうる。ＵＥ１２０ｙによる干渉の分析は、例えば、ｅノードＢ１１０ｃからダウンリンクで受信したＰＤＣＣＨの誤り率を計算することによって、信号品質を取得することを含む。あるいは、ＰＤＣＣＨの誤り率は、ＰＤＣＣＨの信号対雑音比（ＳＮＲ）に基づいて予測されうる。ＵＥ１２０ｙによって計算されるように、ＰＤＣＣＨの誤り率が、予め定義されたレベルに達した場合、ＵＥ１２０ｙは、ｅノードＢ１１０ｃに対してラジオ・リンク失敗（ＲＬＦ）を宣言し、接続を終了させるであろう。この時点において、ＵＥ１２０ｙは、ｅノードＢ１１０ｃに再接続することを試みうるか、恐らくは、より強い信号を持つ別のｅノードＢへ接続することを試みうる。
【００４０】
支配的な干渉シナリオはまた、範囲拡張によっても生じうる。これは、経路喪失が低く、かつ、ＵＥによって検出されたすべてのｅノードＢの中でも恐らくはＳＮＲが低いｅノードＢにＵＥが接続するシナリオである。例えば、図１では、ＵＥ１２０ｘは、マクロｅノードＢ１１０ｂとピコｅノードＢ１１０ｘとを検出し、そして、ｅノードＢ１１０ｘについて、ｅノードＢ１１０ｂよりも低い受信電力を有する。それでもやはり、ｅノードＢ１１０ｘの経路喪失が、マクロｅノードＢ１１０ｂの経路喪失よりも低いのであれば、ＵＥ１２０ｘがピコｅノードＢ１１０ｘに接続することが望ましい。この結果、ＵＥ１２０ｘにとって、所与のデータ・レートの場合、無線ネットワークへの干渉が低くなりうる。
【００４１】
このような支配的な干渉シナリオでは、同期システムにおいてでさえも、ＵＥと複数のｅノードＢとの間の距離が異なることにより、ＵＥで観察された信号電力の不一致に加えて、ダウンリンク信号のタイミング遅れもＵＥによって観察されうる。同期システムにおけるｅノードＢは、システムを超えた推定に基づいて同期される。しかしながら、例えば、マクロｅノードＢから５ｋｍの距離にあるＵＥを考慮すると、マクロｅノードＢから受信されたダウンリンク信号の伝搬遅れは、約１６．６７マイクロ秒（５ｋｍ÷３×１０８、すなわち、光速’ｃ’）の遅れとなるであろう。マクロｅノードＢからのダウンリンク信号を、より近いフェムトｅノードＢからのダウンリンク信号と比較すると、タイミング差は、タイミング・トラッキング・ループ（ＴＬＬ）誤差のレベルとされうる。
【００４２】
さらに、このタイミング差は、ＵＥにおける干渉除去にインパクトを与えうる。干渉除去はしばしば、同じ信号の複数のバージョンの結合間の相互相関特性を用いる。同じ信号の複数のコピーを結合することによって、干渉は、より簡単に識別されうる。なぜなら、信号のおのおののコピーにおける干渉が存在するであろう間、干渉は、同じ場所にあることはないだろうからである。結合された信号の相互相関を用いて、実際の信号部分が判定され、干渉と区別されうる。これによって、干渉が除去されるようになる。
【００４３】
図４Ａは、サービス提供セルと干渉元のセルから受信したダウンリンク信号間の第１の信号相互相関を概念的に例示するブロック図である。ＵＥ（図示しない）は、サービス提供セルからダウンリンク信号４０２を受信し、また、干渉元のセルからダウンリンク信号４０３をも受信する。干渉元のセルからのダウンリンク信号４０３は、サービス提供セルからのダウンリンク信号４０２と比較して、タイミング遅れを有する。理想的には、相互相関によって干渉除去を実行する場合、結合された信号のシンボル期間のおのおのは、一致するだろう。これによって、同じシンボル期間が、他の信号において関連付けられたシンボル期間と結合されるようになるだろう。わずかなミスマッチであれば、一般に、干渉除去において無視できるほどのインパクトしかもたらさない。しかしながら、ミスマッチが激しい場合、深刻なパフォーマンス低下が生じうる。
【００４４】
図４Ａに例示されるように、ＳＳＳシンボル４０４は、サイクリック・プレフィクス（ＣＰ）４０７と衝突するのみならず、データ部Ｄ  ４０６とも衝突する。ＣＰ４０７は予測可能であるので、ＣＰ４０７への衝突は、干渉除去においてわずかなインパクトしかもたらさないかもしれない。しかしながら、データ部Ｄ  ４０６は、任意のタイプの送信可能なデータであり、データ部Ｄ  ４０６における情報は予測不能であるので、データ部Ｄ  ４０６への衝突は、深刻なパフォーマンス低下をもたらすだろう。ＰＳＳシンボル４０５は、ＣＰ４０９と衝突するだけではなく、ＳＳＳシンボル４０８とも衝突する。ダウンリンク信号４０２と比較されるように、ダウンリンク信号４０３のタイミング遅れに基づいて、これらの信号を受信するＵＥは、深刻なパフォーマンス低下を受ける可能性が高いだろう。
【００４５】
図４Ｂは、サービス提供セルと干渉元のセルとから受信したダウンリンク信号間の第２の信号相互相関を概念的に例示するブロック図である。サービス提供セルおよび干渉元のセルからそれぞれダウンリンク信号４１１，４１２を受信するＵＥ（図示せず）は、ダウンリンク信号４１１からの時間遅れを観察する。この相互相関例では、ＳＳＳシンボル４１３は、ＳＳＳシンボル４１５の一部と一致するが、ＣＰ４１６と衝突もする。この種の衝突は望ましくはないが、干渉除去処理は未だに成功しうる。しかしながら、ＰＳＳシンボル４１４は、ダウンリンク信号４１２のデータ部Ｄ  ４１８と衝突する。したがって、ＰＳＳシンボル４１４がＰＳＳシンボル４１７の一部と一致したとしても、データ部Ｄ  ４１８内の情報は、予測不能であるので、ＵＥは、深刻なパフォーマンス低下を経験するであろう。
【００４６】
図５Ａは、本開示の１つの態様にしたがって構成されたＦＤＤサブチャネル５０の中央部分（例えば、６ＲＢ）を概念的に例示するチャネル図である。ＦＤＤサブチャネル５０は、互換性のあるｅノードＢ（図示せず）から、無線ネットワークに接続されたＵＥ（図示せず）へ送信される。サブチャネル５０はおのおの、２つのスロットである、スロット５１およびスロット５２に分割される。おのおののスロットは、７つのシンボル期間を含んでいる。図５Ａは、サブチャネル５０の３つの行５００−５０２を例示する。本開示の１つの態様によれば、列５０５は、（二次同期信号（ＳＳＳ）シンボルとも称される）二次同期チャネル（ＳＳＣ）を含みうる。したがって、ＦＤＤサブチャネル５０を生成する場合、ｅノードＢは、ＳＳＳシンボル５０５の前のＰＤＳＣＨシンボルを検査する。列５０４および行５００，５０２おのおのにおけるＰＤＳＣＨシンボルが、基準信号（すなわち、アンテナ０およびアンテナ２）を含んでいることをｅノードＢが認識すると、基準信号のみが残される。しかしながら、列５０４および行５０１におけるＰＤＳＣＨシンボルは、基準信号を含まない。したがって、ｅノードＢは、列５０４および行５０１におけるリソース要素をブランクする。列５０３におけるさらなるＰＤＳＣＨシンボルは、この例では、そのまま残る。（一次同期信号（ＰＳＳ）とも称される）一次同期チャネル（ＰＳＣ）は、列５０６に配置され、ＰＢＣＨシンボルは、列５０７において始まる。したがって、ＳＳＳは、前後両方で保護される。ブランキングは、前のシンボルで生じる一方、ＰＳＳ  ＰＢＣｈは、その後の保護を提供する。
【００４７】
ＰＢＣＨ信号も同様の方式で保護されうる。本開示の１つの態様によれば、ｅノードＢは、列５０７−５１０において、ＰＢＣＨ領域後の次のＰＤＳＣＨシンボルを検査する。さらに、列５１１および行５００，５０２おのおのにおけるＰＤＳＣＨシンボルは、基準信号（すなわち、アンテナ２およびアンテナ１）を含んでおり、ｅノードＢは、これらシンボルのみを残す。代わりに、ｅノードＢは、列５１１および行５０１におけるリソース要素をブランクする。列５１２，５１３における残りのシンボルは、そのまま残る。ＰＢＣＨ領域に先行するシンボルは、ＰＳＳシンボルであり、ブランクされない。
【００４８】
動作中、ＵＥが、ダウンリンク・サブチャネル５０を受信し、他のｅノードＢからのダウンリンク・サブチャネルの他のコピーと結合すると、ブランクされたシンボル期間は、他の結合されたまたは相互相関付けられたシンボル期間が安全に衝突するためのさらなる余裕を提供する。ブランクされたシンボル期間はクリアされるので、これら期間内の情報は、極めて予測可能である。これは、顕著なタイミング遅れがダウンリンク・サブチャネル５０で経験される場合における干渉除去を改善するだろう。
【００４９】
図５Ｂは、本開示の１つの態様にしたがって構成されたＴＤＤサブチャネル５３を概念的に例示するチャネル図である。図５Ｂに例示されたＴＤＤサブチャネル５３には、（例えば、中央の６ＲＢを含む）中央に４つの行、すなわち、行５１５−５１８が存在する。ＴＤＤサブチャネル５３は、２つのスロットであるスロット５４およびスロット５５（例えば、スロット１およびスロット２）に分割される。これらは、おのおののスロットにおいて、７つのシンボル期間を定義する。さらに、例えばスロット０のような前のスロットからの最後のシンボル期間５１４も示されている。本開示の１つの態様によれば、ＴＤＤサブチャネル５３を送信するｅノードＢは、列５１９において始まるその後のＰＢＣＨ領域を保護するために、列５１４の余分なシンボルのおのおのをブランクするだろう。図示されていないが、ＰＢＣＨ領域の直後のシンボル期間におけるリソース要素もまたブランクされうる。
【００５０】
ＴＤＤサブチャネル５３のＳＳＳシンボルは、列５２１に配置される。本開示の１つの態様によれば、ｅノードＢは、何れかの基準信号が存在するかを判定するために、ＳＳＳシンボルの前のＰＤＳＣＨシンボルを検査する。ｅノードＢは、列５２０において基準信号を発見しないので、列５２０におけるシンボルのおのおのをブランクする。ｅノードＢはまた、基準信号に関して、ＳＳＳシンボルの後のＰＤＳＣＨシンボルを検査する。ｅノードＢは、ＴＤＤサブチャネル５３の列５２２および行５１６において、基準信号（すなわち、アンテナ２）を発見し、この基準信号のみを残す。その後、ｅノードＢは、列５２２において、その他のリソース要素をブランクし、もって、ＳＳＳを保護する。（この例では、ＰＳＳシンボルの直前に先行する、‘ｘ’によって指定されたリソース要素が、例えば、ＰＣＦＩＣＨ、ＰＨＩＣＨ、ＰＤＣＣＨ等のようなチャネルを含む。）この例では、ＰＳＳは、先行する／後続するリソース要素をブランクすることによって保護されないが、望まれる場合には、保護されうる。
【００５１】
さらに、動作中、ＵＥは、ＴＤＤサブチャネル５３を受信するので、追加されたブランクされたシンボル期間によって、ＴＤＤサブチャネル５３のより顕著な時間遅れを取り扱うとともに未だに干渉を効率的に除去する干渉除去が可能となる。
【００５２】
図５Ａ−Ｂは、通常のサイクリック・プレフィクスに関して説明されているが、本開示はまた、拡張されたサイクリック・プレフィクス設定をも考慮する。さらに、ＳＳＳ、ＰＳＳ、およびＰＢＣＨに加えて、あるいは、ＳＳＳ、ＰＳＳ、およびＰＢＣＨの代わりに、例えば基準信号のようなその他の信号が保護されうる。ＰＤＳＣＨシンボルは、パンクチャされるとして記載されているが、例えば、ＰＤＣＣＨリソース要素のようなその他のリソース要素もまたパンクチャされうる。しかしながら、１つの態様では、ＰＢＣＨ、ＰＳＳ、ＳＳＳ、および基準信号は、パンクチャされないだろう。
【００５３】
別の態様では、サービス提供セルと干渉元のセルとの間のタイミング・オフセットが計算される。この計算に基づいて、ブランキングのための分析をするためのシンボル期間の数が決定されうる。例えば、タイミング・オフセットが大きい場合、前述したように、１つではなく、保護されるべき信号の前後の２つのシンボル期間がブランクされうる。このオフセットはまた、保護されるべきリソース要素の前または後をパンクチャするかを判定するようにも考慮されうる。
【００５４】
図６は、サービス提供セルおよび干渉元のセルを有する無線ネットワークにおいて、ダウンリンク信号のタイミング・オフセットのインパクトを低減する方法６００を例示する。ブロック６１０では、サービス提供セルにおける物理ダウンリンク・チャネルの選択された情報を保護するために、干渉元のセルの物理ダウンリンク・チャネルにおけるリソース要素（ＲＥ）がパンクチャされる。干渉元のセルの物理ダウンリンク・チャネルにおけるリソース要素は、選択された情報の前、および／または、選択された情報の後にパンクチャされる。ブロック６１２では、このパンクチャされたリソースにしたがって信号が生成される。
【００５５】
１つの構成では、パンクチャする手段を含むｅノードＢ１１０が、無線通信のために構成される。１つの態様では、パンクチャする手段は、パンクチャする手段によって詳述された機能を実行するように構成されたコントローラ／プロセッサ３４０、メモリ３４２、およびスケジューラ３４４でありうる。ｅノード１１０はまた、生成する手段をも含むように構成される。１つの態様では、生成する手段は、生成する手段によって詳述された機能を実行するように構成されたコントローラ／プロセッサ３４０、メモリ３４２、スケジューラ３４４、送信プロセッサ３２０、変調器３３２、およびアンテナ３３４でありうる。別の態様では、前述した手段は、前述した手段によって記述された機能を実行するように構成されたモジュールまたは任意の装置でありうる。
【００５６】
当業者であればさらに、本明細書の開示に関連して記載されたさまざまな例示的な論理ブロック、モジュール、回路、およびアルゴリズム・ステップが、電子工学ハードウェア、コンピュータ・ソフトウェア、あるいはこれらの組み合わせとして実現されることを理解するであろう。ハードウェアとソフトウェアとの相互置換性を明確に説明するために、さまざまな例示的な構成要素、ブロック、モジュール、回路、およびステップが、それらの機能の観点から一般的に記載された。これら機能がハードウェアとしてまたはソフトウェアとして実現されるかは、特定の用途およびシステム全体に課せられている設計制約に依存する。当業者であれば、特定の用途のおのおのに応じて変化する方式で、前述した機能を実現しうる。しかしながら、この適用判断は、本発明の範囲からの逸脱をもたらすものと解釈されるべきではない。
【００５７】
本明細書の開示に関連して記述されたさまざまな例示的な論理ブロック、モジュール、および回路は、汎用プロセッサ、デジタル信号プロセッサ（ＤＳＰ）、特定用途向け集積回路（ＡＳＩＣ）、フィールド・プログラマブル・ゲート・アレイ（ＦＰＧＡ）あるいはその他のプログラマブル論理デバイス、ディスクリート・ゲートあるいはトランジスタ・ロジック、ディスクリート・ハードウェア構成要素、または上述された機能を実現するために設計された上記何れかの組み合わせを用いて実現または実施されうる。汎用プロセッサは、マイクロ・プロセッサでありうるが、代替例では、このプロセッサは、従来のプロセッサ、コントローラ、マイクロ・コントローラ、または順序回路でありうる。プロセッサは、例えばＤＳＰとマイクロ・プロセッサとの組み合わせ、複数のマイクロ・プロセッサ、ＤＳＰコアと連携する１または複数のマイクロ・プロセッサ、またはその他任意のこのような構成であるコンピューティング・デバイスの組み合わせとして実現されうる。
【００５８】
本明細書の開示に関連して説明された方法またはアルゴリズムのステップは、ハードウェアで直接に、プロセッサによって実行されるソフトウェア・モジュールで、またはこの２つの組合せで実施することができる。ソフトウェア・モジュールは、ＲＡＭメモリ、フラッシュ・メモリ、ＲＯＭメモリ、ＥＰＲＯＭメモリ、ＥＥＰＲＯＭメモリ、レジスタ、ハード・ディスク、リムーバブル・ディスク、ＣＤ−ＲＯＭ、あるいは当該技術分野で知られているその他の型式の記憶媒体に存在しうる。典型的な記憶媒体は、プロセッサが記憶媒体から情報を読み取り、また記憶媒体に情報を書き込むことができるようにプロセッサに結合される。あるいは、この記憶媒体は、プロセッサに統合されうる。このプロセッサと記憶媒体とは、ＡＳＩＣ内に存在しうる。ＡＳＩＣは、ユーザ端末内に存在しうる。あるいは、プロセッサおよび記憶媒体は、ユーザ端末内のディスクリートな構成要素として存在しうる。
【００５９】
１または複数の典型的な設計では、記載された機能は、ハードウェア、ソフトウェア、ファームウェア、あるいはそれらの任意の組み合わせによって実現されうる。ソフトウェアで実現される場合、これら機能は、コンピュータ読取可能な媒体上に格納されるか、あるいは、コンピュータ読取可能な媒体上の１または複数の命令群またはコードとして送信されうる。コンピュータ読取可能な媒体は、コンピュータ記憶媒体と通信媒体との両方を含む。これらは、コンピュータ・プログラムのある場所から別の場所への転送を容易にする任意の媒体を含む。記憶媒体は、汎用コンピュータまたは特別目的コンピュータによってアクセスされうる任意の利用可能な媒体でありうる。限定ではなく、一例として、このようなコンピュータ読取可能な媒体は、ＲＡＭ、ＲＯＭ、ＥＥＰＲＯＭ、ＣＤ−ＲＯＭまたはその他の光ディスク記憶装置、磁気ディスク記憶装置またはその他の磁気記憶装置、あるいは、命令群またはデータ構造の形式で所望のプログラム・コード手段を伝送または格納するために使用され、かつ、汎用コンピュータまたは特別目的コンピュータ、あるいは、汎用プロセッサまたは特別目的プロセッサによってアクセスされうるその他任意の媒体を備えうる。さらに、いかなる接続も、コンピュータ読取可能な媒体として適切に称される。同軸ケーブル、光ファイバ・ケーブル、ツイスト・ペア、デジタル加入者線（ＤＳＬ）、あるいは、例えば赤外線、無線およびマイクロ波のような無線技術を使用して、ウェブサイト、サーバ、あるいはその他の遠隔ソースからソフトウェアが送信される場合、同軸ケーブル、光ファイバ・ケーブル、ツイスト・ペア、ＤＳＬ、あるいは、例えば赤外線、無線およびマイクロ波のような無線技術が、媒体の定義に含まれる。本明細書で使用されるディスク（ｄｉｓｋおよびｄｉｓｃ）は、コンパクト・ディスク（ｄｉｓｃ）（ＣＤ）、レーザ・ディスク（ｄｉｓｃ）、光ディスク（ｄｉｓｃ）、デジタル多用途ディスク（ｄｉｓｃ）（ＤＶＤ）、フロッピー（登録商標）ディスク（ｄｉｓｋ）、およびブルー・レイ・ディスク（ｄｉｓｃ）を含む。これらｄｉｓｃは、レーザを用いてデータを光学的に再生する。それに対して、ｄｉｓｋは、通常、データを磁気的に再生する。上記の組み合わせもまた、コンピュータ読取可能な媒体の範囲内に含まれるべきである。
【００６０】
本開示の上記記載は、当業者をして、本開示の製造または利用を可能とするように提供される。本開示に対するさまざまな変形は、当業者に容易に明らかであって、本明細書で定義された一般原理は、本開示の精神または範囲から逸脱することなく、他のバリエーションに適用されうる。このように、本開示は、本明細書で示された例および設計に限定されることは意図されておらず、本明細書で開示された原理および新規な特徴に一致した最も広い範囲に相当するとされている。
【図１】
2013530571.tif 000003
【図２】
2013530571.tif 000004
【図３】
2013530571.tif 000005
【図４Ａ】
2013530571.tif 000006
【図４Ｂ】
2013530571.tif 000007
【図５Ａ】
2013530571.tif 000008
【図５Ｂ】
2013530571.tif 000009
【図６】
2013530571.tif 000010
【国際調査報告】
2013530571.tif 000011
2013530571.tif 000012
2013530571.tif 000013